(57)【要約】【課題】四角形状であっても開蓋が容易な密封容器を提供する。【解決手段】四角形状の蓋体1の天板２周縁から外向きフランジ４を介して側板５を垂下して、該側板内面に容器本体の周壁２１上部に係合可能な係合突部７を形成すると共に、該側板の１つの角部８に摘み部９を設け、かつ該角部と該角部に隣接する角部との間の側板部分に弾性変形自在な薄肉部１３を設けた。【選択図】  図１
2011178427.tif 000002
【特許請求の範囲】
【請求項１】
四角形状の蓋体1の天板２周縁から外向きフランジ４を介して側板５を垂下して、該側板内面に容器本体の周壁２１上部に係合可能な係合突部７を形成すると共に、該側板の１つの角部８に摘み部９を設け、かつ該角部と該角部に隣接する角部との間の側板部分に弾性変形自在な薄肉部１３を設けたことを特徴とする密封容器。
【請求項２】
前記摘み部９を設けた角部８と該角部に隣接する１つの角部１１との間の側板５部分および前記摘み部９を設けた角部８と該角部に隣接する他の角部１２との間の側板部分に薄肉部１３を設けたことを特徴する請求項１記載の密封容器。
【請求項３】
前記薄肉部１３と前記係合突部７とを交互に配置したことを特徴する請求項１又は２記載の密封容器。
【請求項４】
前記薄肉部１３は外方へ凸の弯曲状に形成されていることを特徴とする請求項１から３のいずれか１項記載の密封容器。
【請求項５】
前記薄肉部１３は側方視三角形状に形成されていることを特徴とする請求項１から４のいずれか１項記載の密封容器。
【請求項６】
前記容器本体の周壁２１上端部外面に係合突条２２を周設して、該係合突条下面へ前記蓋体の係合突部７を係合させると共に、前記蓋体の天板２に外向きフランジ４と側板５とを備えた下面開口の嵌合溝部６を設けて、該嵌合溝部を前記容器本体の係合突条２２へ嵌合させたことを特徴とする請求項１から５のいずれか１項記載の密封容器。
【発明の詳細な説明】
【技術分野】
【０００１】
本発明は密封容器に関する。
【背景技術】
【０００２】
蓋体と容器本体とのそれぞれに突部を設けて、これら突部を嵌合させることで密封嵌合を図った円形状の容器が従来技術として知られている(特許文献１)。
【先行技術文献】
【特許文献】
【０００３】
【特許文献１】特開２００４−５９０５５号公報
【発明の概要】
【発明が解決しようとする課題】
【０００４】
上記のような突部から構成される嵌合手段を四角形状の容器に適用した場合、開蓋しようとすると、摘み部が設けられた蓋体の側壁の角部に隣接する角部に内方向への引張力が作用するため、蓋体の側壁内面に形成された突部が内方へ引寄せられて容器本体の突部下面へさらに食い込むため、蓋が開けにくいものとなっていた。そこで角部に丸みを付けることで開けにくさを解消しようとしているが、丸みが大になると四角形状としての形状による特性が失われてくるという課題が生じてくる。
【０００５】
本発明は、上記課題を解決するためになされたもので、四角形状であっても開蓋が容易な密封容器を提供することを目的とする。
【課題を解決するための手段】
【０００６】
上記課題を解決するために、本発明は、四角形状の蓋体1の天板２周縁から外向きフランジ４を介して側板５を垂下して、該側板内面に容器本体の周壁２１上部に係合可能な係合突部７を形成すると共に、該側板の１つの角部８に摘み部９を設け、かつ該角部と該角部に隣接する角部との間の側板部分に弾性変形自在な薄肉部１３を設けたことを特徴とする。
【０００７】
また、本発明は、前記摘み部９を設けた角部８と該角部に隣接する１つの角部１１との間の側板５部分および前記摘み部９を設けた角部８と該角部に隣接する他の角部１２との間の側板部分に薄肉部１３を設けたことを特徴する。
【０００８】
また、本発明は、前記薄肉部１３と前記係合突部７とを交互に配置したことを特徴する。
【０００９】
さらに、本発明は、前記薄肉部１３は外方へ凸の弯曲状に形成されていることを特徴とする。
【００１０】
さらに、本発明は、前記薄肉部１３は側方視三角形状に形成されていることを特徴とする。
【００１１】
さらに、本発明は、前記容器本体の周壁２１上端部外面に係合突条２２を周設して、該係合突条下面へ前記蓋体の係合突部７を係合させると共に、前記蓋体の天板２に外向きフランジ４と側板５とを備えた下面開口の嵌合溝部６を設けて、該嵌合溝部を前記容器本体の係合突条２２へ嵌合させたことを特徴とする。
【発明の効果】
【００１２】
本発明は、蓋体の側板に弾性変形自在な薄肉１３を設けたので、摘み部９をもって蓋体を上げると薄肉部が伸びるため、摘み部９を設けた角部に隣接する角部に対する引張力が緩和されて係合突部７が容器本体の係合突条２２へ食い込むことが防止されるため四角形状の容器であっても開蓋が容易である。
【００１３】
また、本発明は、摘み部９を設けた角部８と該角部に隣接する１つの角部との間の側板５部分および他の角部との間の側板部分に薄肉部１３を設けたので、または薄肉部を外方へ凸の弯曲状に形成したので、開蓋がさらに容易となる。
【００１４】
さらに、本発明は、蓋体の天板２周縁部に下面開口の嵌合溝部６を設けて、該嵌合溝部を容器本体の係合突条２２へ嵌合させたので密封性がよい。
【図面の簡単な説明】
【００１５】
【図１】本発明に係る密封容器の斜視図である。
【図２】図１のＡ−Ａ線に沿う断面図である。
【図３】図１のＢ−Ｂ線に沿う断面図である。
【図４】作用説明図である。
【発明を実施するための形態】
【００１６】
以下、本発明の実施の形態について、図面を参照しながら詳細に説明する。
【００１７】
１は容器を構成する蓋体で、四角形状の天板２の周縁から起立部３を起立させ、起立部３の上端から外向きフランジ４を介して側板５を垂下することにより起立部３と外向きフランジ４と側板５とで嵌合溝部６を形成する。嵌合溝部６は後述の容器本体の係合突条２２へ嵌合させる。
【００１８】
図３に示すように、側板５の上下方向中間部内面に係合突部７を所定の間隔をおいて周方向へ複数形成すると共に、側板５の１つの角部８の下端に板状の摘み部９を突設する。
【００１９】
摘み部９を設けた１つの角部８と該角部に隣接する一方の角部１１との間の側板５部分および１つの角部８と該角部に隣接する他方の角部１２との間の側板５部分のそれぞれに弾性変形自在な薄肉部１３を形成する。
【００２０】
薄肉部１３は断面形状が外方へ凸の弯曲形状で、かつ底辺が下方に位置する側方視三角形状であることが好ましい。薄肉部１３の数には特に限定がないが、薄肉部１３は蓋体１を開ける際に伸びることで開蓋を容易にするためのものであるから、この目的を達成し得る程度の数であればよく、また薄肉部１３間の距離も同様の観点から決めることができる。さらに薄肉部１３は摘み部９が設けられた１つの角部８とこれに隣接する角部との間の中央部かまたは摘み部９が設けられた１つの角部８に近い位置に設ける。また通常は薄肉部１３と係合突部７とは交互に配置するが、必ずしも交互である必要はない。
【００２１】
２０は容器本体で、周壁２１の上端部外面に係合突条２２を周設して、該係合突条２２が形成された周壁２１上端部に蓋体１の嵌合溝部６を嵌合させると共に、蓋体１の係合突部７を係合突条２２下面に係合させる。
【００２２】
次に本実施形態の作用について説明する。
蓋体１を開けるには、摘み部９を上方へ上げればよく、すると蓋体１の天板２の角部部分が上方へ屈曲されるが、その際薄肉部１３が図４に示すように伸びるため、摘み部９が設けられた１つの角部８と隣接する角部１１、１２に引張力が殆ど作用することがなく、したがって容器本体の係合突条２２下面へ係合した蓋体１の係合突部７に内方向への力が作用することがなく、このため容易に開蓋することができる。
【００２３】
なお、蓋体1の材質としてはポリエチレン等の柔軟な材料が、また容器本体２０の材質としてはポリプロピレンが好ましい。
【産業上の利用可能性】
【００２４】
本発明は、種々の内容物を収納するのに使用される密封容器の分野に利用することができる。
【符号の説明】
【００２５】
１  蓋体
２  天板
４  外向きフランジ
５  側板
６  嵌合溝部
７  係合突部
８  角部
１３  薄肉部
２０  容器本体
２１  周壁
２２  係合突条
【図１】
2011178427.tif 000003
【図２】
2011178427.tif 000004
【図３】
2011178427.tif 000005
【図４】
2011178427.tif 000006